(57)【要約】【課題】  着用者一人一人の体型や好みに応じた角度に隆起させて、その形状を保持することができ、胸部の補整効果が高く、人体になじみやすいブラジャー用パッドを提供すること。【解決手段】  可塑性を有し、折り曲げ可能な骨材４を、中心近傍を通って横方向に沿うよう内蔵してある。骨材４を複数内蔵しても良い。骨材４を、中心近傍を通って縦方向に沿うよう内蔵することもあり、骨材４を、中心近傍を通って縦方向及び横方向に沿うよう内蔵することもある。【選択図】          図１
2006291386.tif 000002
【特許請求の範囲】
【請求項１】
可塑性を有し、折り曲げ可能な骨材を、中心近傍を通って横方向に沿うよう内蔵してあることを特徴としたブラジャー用パッド。
【請求項２】
前記骨材を複数内蔵した請求項１に記載のブラジャー用パッド。
【請求項３】
可塑性を有し、折り曲げ可能な骨材を、中心近傍を通って縦方向に沿うよう内蔵してあることを特徴としたブラジャー用パッド。
【請求項４】
可塑性を有し、折り曲げ可能な骨材を、中心近傍を通って縦方向及び横方向に沿うよう内蔵してあることを特徴としたブラジャー用パッド。
【発明の詳細な説明】
【技術分野】
【０００１】
本発明は、ブラジャー用パッドに関する。
【背景技術】
【０００２】
一般的なブラジャーでは、乳房部の補整効果が高めるために、カップ部下縁に沿って湾曲したワイヤーを配設してあることが多い。
しかし、このようなワイヤ入りブラジャーでは、ワイヤーの曲率が予め決定されているので、着用者一人一人の体型に応じて変更することができず、ワイヤーはカップ部下縁に配置されているため、カップ部の隆起状態をワイヤーによって維持することも困難であった。
【０００３】
また、ブーメラン形状のパット本体の下縁に沿って、形状記憶合金より成る線状芯材を配置した水着、レオタード用パットが公知である（特許文献１参照）。
さらに、着用前に対し着用後には輪郭形状が変形する輪形状のバスト補正用ボーンと一体のパッドが知られている（特許文献２参照）。
しかし、これらのものは、線状芯材或いはボーンが乳房部の重みや身体の動きによって変形するので、なじみはよいが補整効果が低い。また、線状芯材或いはボーンがパッドの外周部に配置されているため、カップ部の隆起度合いを変えにくい。
【０００４】
【特許文献１】実開平５−４６９０２号公報
【特許文献２】特開平８−１４４１０６号公報
【発明の開示】
【発明が解決しようとする課題】
【０００５】
本発明が解決しようとする課題は、着用者一人一人の体型や好みに応じた角度に隆起させて、その形状を保持することができ、胸部の補整効果が高く、人体になじみやすいブラジャー用パッドを提供することにある。
【課題を解決するための手段】
【０００６】
本発明のブラジャー用パッドは、可塑性を有し、折り曲げ可能な骨材を、中心近傍を通って横方向に沿うよう内蔵してある。
この場合、前記骨材を複数内蔵しても良い。
また、可塑性を有し、折り曲げ可能な骨材を、中心近傍を通って縦方向に沿うよう内蔵することも、骨材を、中心近傍を通って縦方向及び横方向に沿うよう内蔵することもある。
【発明の効果】
【０００７】
本発明によれば、骨材を任意角度に折り曲げるとその形を維持するため、パッドを着用者一人一人の体型や好みに応じた角度で隆起させてその形状に保持することができ、この結果、ブラジャーのカップが人体になじみやすくなり、補整効果も高まる。
【発明を実施するための最良の形態】
【０００８】
本発明のブラジャー用パッドは、中心近傍を通るように骨材を内蔵してある。
骨材は、折り曲げ可能であって可撓性を有する素材より成る。
以下、本発明の実施例を図面に基づいて詳細に説明する。
【実施例１】
【０００９】
図１及び図２は実施例１を示し、図１は、ブラジャー用パッド１の一部破断斜視図、図２は、ブラジャー用パッド１の正面図である。
パッド１は、ブラジャーの乳房部に形成されたポケット内へ、出し入れ可能に装着されるものであって、図１に示すように、カバー２と、カバー２に内蔵された弾性体３及び１本の骨材４とを備える。
カバー２は、薄くて柔らかい布を２枚重ねると共に、その外周縁を縫着して、横方向に長い略楕円形の袋状に形成してある。
【００１０】
弾性体３は、カバー２とほぼ同じ略楕円形であり、外部弾性体５と内部弾性体６とから成る。
外部弾性体５は、軟質の合成樹脂繊維シートを重ねて袋状に形成してあり、カバー２の内面に積層され、その外周縁は、カバー２と共に縫着されている。
内部弾性体６は、薄いスポンジシートを２枚重ねると共に、その外周縁を縫着して袋状に形成したものであって、外部弾性体５の内面に積層される。
内部弾性体６を構成する１枚のスポンジシートの内面には、中心を通って横方向に沿うよう細幅の布を取り付けることによって、帯状チューブ７が形成される。帯状チューブ７は、パッド１の横方向全長に亘って配置され、その両端部は内部弾性体６と共に、カバー２及び外部弾性体５の外周縁に縫着されている。
【００１１】
骨材４は、折り曲げ可能で、可塑性を有する合成樹脂或いは金属を素材とし、厚み１ｍｍ、幅４ｍｍ程度の平棒状に形成されている。
そして、骨材４は、帯状チューブ７内に収納され、図２に示すように、パッド１の中心を通って横方向に沿うよう内蔵される。
従って、パッド１の外側から力を加え、図３に示すように、骨材４を両端部が内側へ向くよう中央部から適宜角度に折り曲げると、パッド１が幅方向に湾曲して外側凸に隆起し、その形状が維持される。骨材４の折り曲げ角度を変えると、パッド１の隆起度合いも変化する。
【実施例２】
【００１２】
図４は、実施例２に係るブラジャー用パッド１の正面図である。
パッド１には、２本の骨材４を、パッド１の中心近傍において、上下両側にそれぞれ横方向に沿うよう内蔵してある。骨材４は、内部弾性体６に横方向に沿って取り付けた２本の帯状チューブ７内にそれぞれ収納されている。
このパッド１は、２本の骨材４を設けてあるので、パッド１の隆起した形状を維持する力が強い。
その他の構成は、実施例１とほぼ同様なので、詳細な説明は省略する。
【実施例３】
【００１３】
図５は、実施例３に係るブラジャー用パッド１の正面図である。
パッド１には、中心近傍を通り、縦方向に沿うよう１本の骨材４を内蔵してある。骨材４は内部弾性体６に縦方向に沿って取り付けた帯状チューブ７内に収納してある。
従って、骨材４を、両端部が内側へ向くよう中央部分から折り曲げると、パッド１は縦方向に湾曲して、外側凸に湾曲する。
その他の構成は、実施例１及び実施例２とほぼ同様である。
【実施例４】
【００１４】
図６は、実施例４に係るブラジャー用パッドの正面図である。
パッド１には、２本の骨材４を、それぞれ中心近傍を通り縦方向及び横方向に、互いに交差するよう内蔵してある。２本の骨材４を収納する２本の帯状チューブ部７は、縦横に交差するよう、しかし、互いに閉鎖し合わないように、内部弾性体６に取り付けられている。
このパッド１は、２本の骨材４を折り曲げることにより、縦方向及び横方向に湾曲させることができる。
その他の構成は、実施例１乃至実施例３とほぼ同様である。
なお、上記各実施例において、カバー２及び弾性体３の素材、形状は、適宜変更することができる。また、骨材４は、丸棒状とすることも可能である。
【図面の簡単な説明】
【００１５】
【図１】実施例１を示すブラジャー用パッドの一部破断斜視図。
【図２】実施例１を示すブラジャー用パッドの正面図。
【図３】実施例１を示すブラジャー用パッドの断面図。
【図４】実施例２を示すブラジャー用パッドの正面図。
【図５】実施例３を示すブラジャー用パッドの正面図。
【図６】実施例４を示すブラジャー用パッドの正面図。
【符号の説明】
【００１６】
１  ブラジャー用パッド
２  カバー
３  弾性体
４  骨材
５  外部弾性体
６  内部弾性体
７  帯状チューブ
【図１】
2006291386.tif 000003
【図２】
2006291386.tif 000004
【図３】
2006291386.tif 000005
【図４】
2006291386.tif 000006
【図５】
2006291386.tif 000007
【図６】
2006291386.tif 000008